(57)【要約】      （修正有）【課題】各種シャツ（男性用、女性用、子供用、ワイシャツ、カジュアルシャツ、形状安定シャツ、ストレッチシャツ、ポロシャツ等）に適用でき、洗濯後のハンガー干しの際に襟元に容易に装着して滑り落ちや風等による落下を防止し、収納の際には襟元形状を保護し、更に防虫剤やアロマ等を内蔵することの出来る襟元ピンチを提供する。【解決手段】本発明の襟元ピンチは、一端に噛合部を、他端にハンドル部を有する一対の対向状ピンチ本体と、噛合部を閉鎖するように両ピンチ本体を付勢しているバネにより構成される。表側噛合部の形状は歪曲した長方形、内側噛合部も同型の歪曲した長方形とし、左右に襟を保護する保護板と多数の小穴を備える。また、襟元ピンチ表側噛合部に、防虫剤やアロマ等を入れる上部開放ボックスを備える。【選択図】図１
2020028694.tif 000002
【特許請求の範囲】
【請求項１】
プラスチック、金属、合成樹脂、有機材等で一体成形した襟元ピンチで一端に噛合部を他端にハンドル部を有し、かつ噛合部を開閉させるように両端で自在に連結されている一対の対向ピンチ本体と、噛合部を閉鎖するように両ピンチ本体を付勢しているバネを備えている襟元ピンチ。
【請求項２】
噛合部の形状は歪曲した長方形の請求項１に記載の襟元ピンチ。
【請求項３】
一対の噛合部は多数の小穴が一体成形されている請求項１から請求項２に記載の襟元ピンチ。
【請求項４】
表側保護版、内側保護版、上部開放ボックスには多数の小穴が一体成形されている請求項１から請求項３に記載の襟元ピンチ。
【請求項５】
上記記載の小穴成型は任意とする請求項１から請求項４に記載の襟元ピンチ。
【請求項６】
表側噛合部、内側噛合部には、保護板が一体成形されている請求項１から請求項５に記載の襟元ピンチ。
【請求項７】
表側噛合部には上部開放のボックスが一体成形されている請求項１から請求項６に記載の襟元ピンチ。
【請求項８】
上部開放のボックスの装着は任意とする請求項１から請求項７に記載の襟元ピンチ。
【請求項９】
対面する噛合部がお互いに閉じ合うように付勢するために、ねじりコイルバネを取付けた請求項１から請求項８に記載の襟元ピンチ。
尚、バネの形状及び強度は任意とする。
【請求項１０】
両ピンチ本体を付勢しているバネは当考案では、ねじりコイルバネを使用しているが、スプリングバネ、Ｃ型線加工バネでも良い、バネの形状種類は本考案のピンチに適するバネであれば良い請求項１から請求項９に記載の襟元ピンチ。
【請求項１１】
襟元用ピンチの本体の色は単色、多色どちらでも良い、また、イラスト、氏名等を印刷しても良い、任意とする請求項１から請求項１０に記載の襟元ピンチ。
【請求項１２】
襟元ピンチをゴム、ビニール、ウレタン、等の緩衝材で被膜し洗濯物を挟む部分に溝、突起等を設けることは任意とする請求項１から請求項１１に記載の襟元ピンチ。
【発明の詳細な説明】
【技術分野】
【０００１】本第一考案は、一般家庭において男性用、女性用、子供用シャツ（ワイシャツ  カジュアルシャツ、形状安定シャツ、ストレッチシャツ、ポロシャツ等）洗濯後ハンガー干しの際に襟元に容易に装着でき、滑り落ち、風による洗濯物の落下防止を目的とした襟元ピンチを提供する。
また本第二考案は、同じピンチを収納用として活用しようとするものである。
襟元の保護、形状維持に活用できる事を目的とした襟元ピンチ、挟持部にある上部開放ボックスに防虫剤、アロマ等を入れ収納効果を更に上げることの出来る襟元ピンチを提供する。
【背景技術】
【０００２】男性用シャツ、女性用シャツの襟元はボタンを留めないで襟元を開けた時襟元が乱れやすい為固定出来るようにし、装身具として使用することが目的の襟元ピン。
（特許文献１参照）。
【先行技術文献】
【特許文献】
【０００３】
【特許文献１】特開２００７−００７３４９
【発明の概要】
【発明が解決しようとする課題】
【０００４】そのため次のような問題点があった。
特許文献１は、着用の際襟元のボタンを留めないで開放した状態でも襟元が乱れるのを防ぐ効果のある装身具を兼ねた襟元ピンである。
一般家庭ではシャツ類はハンガー干しが主流である、そのため滑り落ち、風等による落下を防ぐため、シャツ最上部のボタンを留めるか、シャツをハンガーに掛けその上から両肩の部分に従来のピンチで留めていた。
湿ったシャツのボタンを留めることは容易ではなく、乾いた後ボタン穴だけがだらしなく開いて残ってしまう。両肩の部分をピンチで強く挟むとピンチの噛合部の跡がついたり傷ついたりすることがある。【０００５】本第一考案の目的は洗濯物の滑り落ち、風等による落下を襟元に留め具を装着する事により解決し、容易に取扱できる襟元ピンチを提供するものである。
【発明が解決しようとする課題】
【０００６】シャツ類のハンガー収納、たたみ収納では収納の間に襟元のよじれ、つぶれが発生し再度アイロン掛けが必要となり過重となる事がある。【０００７】本第二考案の目的は洗濯物（主にシャツ類）の収納時襟元を保護、形状維持する留め具で解決した、上記留め具［０００５］は収納時も併用できる、襟元ピンチを収納用として提供するものである。
【課題を解決するための手段】
【０００８】以上の課題を解決するために、第一考案はシャツ等襟元に留め具を装着して固定する事で解決した。襟元ピンチは一端に噛合部を、他端にハンドル部を有しかつ噛合部を開閉させるように両端間で揺動自在に連結されている一対の対向状ピンチ本体と噛合部を閉鎖するように両ピンチ本体を付勢しているバネを備えており、ピンチ本体はプラスチック、金属、合成樹脂、有機材等によって一体成形されている。表噛合部の形状は歪曲した長方形を有し、内側噛合部も同型の歪曲した長方形として表噛合部には左右に襟を保護する保護板を有している。また、表噛合部、内側噛合部には多数の小穴を有している．
第二考案は、留め具をそのまま収納用ピンチとして活用できることである。
また、襟元ピンチ表側噛合部には防虫剤、アロマ等を入れる上部開放のボックスを有している。本考案の襟元ピンチで課題の解決手段とする。
【発明の効果】
【０００９】第一考案によりシャツの襟元に留め具を装着したことにより、洗濯物（主にシャツ類）がハンガーから滑り落ちたり、風等よる落下を防ぐことが出来、第二考案により収納時の襟元形状を維持することができる。
【図面の簡単な説明】
【００１０】
【図１】本考案の（請求項１）を示す図である。
【図２】同襟元ピンチ斜視図である。
【図３】同襟元ピンチ本体分解斜視図である。
【発明を実施するための形態】
【００１１】本考案の実施形態を、図１に示す。
留め具はプラスチック、金属、合成樹脂、有機材等を一体成形したものを使用する留め具表噛合部の形状は歪曲した長方形を有し、内側噛合部も同型の歪曲した長方形として表噛合部、内側噛合部には左右に襟を保護する保護板を有している。噛合部を閉鎖するよう両ピンチ本体に付勢しているバネを備えている。また、表噛合部、内側噛合部には多数の小穴を有していることを特徴とする。
【実施形態の効果】
【００１２】この実施形態によれば、第一考案は本考案の襟元ピンチを使用することによりハンガー干しによる洗濯物（主にシャツ類）の滑り落ち、風等による落下を防ぐことができる。
第二考案は本考案の襟元ピンチを収納時装着することによりシャツ類の襟元開口部を固定する事により襟元のよじれ、潰れを防ぎ襟元のボタンを留めないで開放した状態でも襟元が乱れない。また、襟元ピンチ表側噛合部には防虫剤、アロマ等を入れる上部開放ボックスを設け収納を更に効果的にしたことを特徴とする。
【符号の説明】
【００１３】１    本考案の（請求項１）を示す図である
２    共有開閉軸
３    ねじりコイル加工ばね
４    上部開放ボックス
５    小穴
６    内側に構成された襟元ピンチ開閉操作部
７    表側の構成された襟元ピンチ開閉操作部
８    内側に構成された襟元ピンチ部
９    表側に構成された襟元ピンチ部
１０  内側の構成された保護版
１１  表側に構成された保護版
１２  固定具
１３  固定具受け
【図１】
2020028694.tif 000003
【図２】
2020028694.tif 000004
【図３】
2020028694.tif 000005